(57)【要約】【課題】撮影時に被写体に対してフラッシュ光を使用者の好みの位置から与えることができると共に、携帯通信端末を安定させて撮影することが可能なカメラとフラッシュ機能を有する携帯通信端末を提供する。【解決手段】本発明にかかるカメラとフラッシュ機能を有する携帯通信端末は、第１の筐体１０及び第２の筐体１１からなり、両筐体１０、１１は回動軸１６を中心として、両筐体の重ね合わせ方向に沿う軸線回りに相対的に回動可能となっている。第１の筐体の正面側には表示部の表示面を有しており、また、第２の筐体１１には複数の操作キーからなる操作部１４が設けられており、主な操作キーは第２の筐体の正面側に配され、補助的な操作キー１４ｂは第２の筐体１１の正面側に隣り合う側面側１１ｃに配されている。第１の筐体１０の裏面側１０ａにフラッシュの発光窓１３が設けられており、第２の筐体１１の裏面側１１ａにカメラの撮影窓１２が設けられている。【選択図】      図３
2004297736.tif 000002
【特許請求の範囲】
【請求項１】
互いに重ね合わせた第１の筐体と第２の筐体を、前記両筐体の重ね合わせ方向に沿う軸線回りに相対的に回動可能に構成してなり、前記第１及び第２の筐体に操作部と表示部をそれぞれ別個に備えた携帯通信端末において、
前記第１の筐体にフラッシュを設けると共に、前記第２の筐体にカメラを設け、前記両筐体を、重ね合わせ位置より回動させることにより前記カメラの撮影窓と前記フラッシュの発光窓が撮影可能な状態に位置し得るように構成したことを特徴とするカメラとフラッシュ機能を有する携帯通信端末。
【請求項２】
前記両筐体は、重ね合わせ位置と、前記カメラの撮影窓と前記フラッシュの発光窓とが撮影可能となる各々の回動角度位置で位置決め可能であることを特徴とする請求項１に記載のカメラとフラッシュ機能を有する携帯通信端末。
【請求項３】
前記両筐体の重ね合わせ位置において、前記フラッシュの発光窓が前記第２の筐体により覆い隠されることを特徴とする請求項１又は請求項２に記載のカメラとフラッシュ機能を有する携帯通信端末。
【請求項４】
前記フラッシュの発光窓を有する第１の筐体表面に、前記表示部の表示面を有することを特徴とする請求項１乃至請求項３のいずれか一つに記載のカメラとフラッシュ機能を有する携帯通信端末。
【請求項５】
前記フラッシュの発光窓を有する面と反対側にある第１の筐体表面に、前記表示部の表示面を有することを特徴とする請求項１乃至請求項３のいずれか一つに記載のカメラとフラッシュ機能を有する携帯通信端末。
【請求項６】
前記フラッシュの発光窓を有する第１の筐体表面に、被写体を視認する反射面を設けたことを特徴とする請求項１乃至請求項３のいずれか一つに記載のカメラとフラッシュ機能を有する携帯通信端末。
【請求項７】
前記操作部を構成する複数の操作キーのうち、いずれか一つの操作キーが前記カメラの撮影ボタンとして機能することを特徴とする請求項１乃至請求項６のいずれか一つに記載のカメラとフラッシュ機能を有する携帯通信端末。
【請求項８】
前記第２の筐体における前記第１の筐体との対向面に隣り合う側面に、前記操作部を構成する複数の操作キーのうち、少なくとも一つの操作キーを備え、当該第２の筐体の側面に備える一つの操作キーが前記カメラの撮影ボタンとして機能することを特徴とする請求項１乃至請求項６のいずれか一つに記載のカメラとフラッシュ機能を有する携帯通信端末。
【発明の詳細な説明】
【０００１】
【発明の属する技術分野】
本発明は、カメラ機能とフラッシュ機能がそれぞれ操作部を有する筐体と表示部を有する筐体に別個に設けられた、携帯電話やＰＤＡ（Ｐｅｒｓｏｎａｌ  Ｄｉｇｉｔａｌ  Ａｓｓｉｓｔａｎｔｓ）等の携帯通信端末に関するものである。
【０００２】
【従来の技術】
近年、携帯電話やＰＤＡ（Ｐｅｒｓｏｎａｌ  Ｄｉｇｉｔａｌ  Ａｓｓｉｓｔａｎｔｓ）等の携帯通信端末においては、音声情報や文字情報、さらには画像情報の送受信を行うことができるようになっている。特にカメラにより撮影した画像情報を送受信するニーズが高まっていることから、携帯通信端末にカメラを搭載したものが普及しつつある。また、暗い場所で被写体を撮影するためには照明が必要であり、フラッシュ機能を付加したものも提案されている（特許文献１）。
【０００３】
ところで、カメラとフラッシュを備えた携帯通信端末としては、特許文献１に記載の携帯通信端末のように、カメラの撮影窓を有する面以外の面に表示部を備え、この表示部に映し出される画像を見ながら使用者以外の被写体を撮影するようにしたもの、あるいは特許文献２に記載の携帯通信端末のように、カメラの撮影窓とフラッシュの発光窓を有する面に表示部を設け、表示部に映し出される画像を確認しながら使用者自身を撮影することができると共に、光学ファインダを備え、この光学ファインダにより使用者以外の被写体をも撮影することができるようにしたものが提案されている。
【０００４】
【特許文献１】
特開２００１−３４５８９９号公報
【特許文献２】
特開２００１−３２０４５４号公報
【０００５】
【発明が解決しようとする課題】
ところで、特許文献１及び特許文献２のいずれに記載された携帯通信端末においてもカメラとフラッシュとが同一筐体の所定位置に設けられているため、被写体に対してフラッシュによる閃光の当て方を変えることができず、撮影の自由度が得られないといった課題があった。
【０００６】
また、この種の携帯通信端末は、撮影する際も片手で保持したまま操作キーを指で押下して撮影することを前提としているため、撮影の際に手ブレを生じる可能性が高く、撮影を良好に行うことが難しいといった不都合もあった。
【０００７】
また、最近では、表示部と操作部を別筐体に設け、両筐体を連結した携帯通信端末においてもカメラとフラッシュ機能を搭載したものが知られているが、このような携帯通信端末もカメラとフラッシュが同一筐体の所定位置に設けられており、特許文献１や特許文献２に記載の携帯通信端末と同様に撮影の自由度がなく、また撮影の際に手ブレを生じる恐れがあった。
【０００８】
そこで、本発明は上記課題に鑑みてなされたものであり、その目的は、撮影時に被写体に対してフラッシュ光を使用者の好みの位置から与えることができると共に、携帯通信端末を安定させて撮影することが可能なカメラとフラッシュ機能を有する携帯通信端末を提供することにある。
【０００９】
【課題を解決するための手段】
即ち、請求項１に係る発明は、互いに重ね合わせた第１の筐体と第２の筐体を、前記両筐体の重ね合わせ方向に沿う軸線回りに相対的に回動可能に構成してなり、前記第１及び第２の筐体に操作部と表示部をそれぞれ別個に備えた、カメラとフラッシュ機能を有する携帯通信端末において、前記第１の筐体にフラッシュを設けると共に、前記第２の筐体にカメラを設け、前記両筐体を、重ね合わせ位置より回動させることにより前記カメラの撮影窓と前記フラッシュの発光窓が撮影可能な状態に位置し得るように成したことを特徴とする。
【００１０】
請求項２に係る発明は、請求項１に記載のカメラとフラッシュ機能を有する携帯通信端末において、前記両筐体を、重ね合わせ位置と、前記カメラの撮影窓と前記フラッシュの発光窓とが撮影可能となる各々の回動角度位置で位置決め可能としたことを特徴とする。
請求項３に係る発明は、請求項１又は請求項２に記載のカメラとフラッシュ機能を有する携帯通信端末において、前記両筐体の重ね合わせ位置において、前記フラッシュの発光窓が前記第２の筐体により覆い隠されるようにしたことを特徴とする。
請求項４に係る発明は、請求項１乃至請求項３のいずれか一つに記載のカメラとフラッシュ機能を有する携帯通信端末において、前記フラッシュの発光窓を有する第１の筐体表面に、前記表示部の表示面を備えることを特徴とする。
請求項５に係る発明は、請求項１乃至請求項３のいずれか一つに記載のカメラとフラッシュ機能を有する携帯通信端末において、前記フラッシュの発光窓を有する面と反対側にある第１の筐体表面に、前記表示部の表示面を備えることを特徴とする。
請求項６に係る発明は、請求項１乃至請求項３のいずれか一つに記載のカメラとフラッシュ機能を有する携帯通信端末において、前記フラッシュの発光窓を有する第１の筐体表面に、被写体を視認する反射面を備えることを特徴とする。
請求項７に係る発明は、請求項１乃至請求項６のいずれか一つに記載のカメラとフラッシュ機能を有する携帯通信端末において、前記操作部を構成する複数の操作キーのうち、いずれか一つの操作キーが前記カメラの撮影ボタンとして機能することを特徴とする。
請求項８に係る発明は、請求項１乃至請求項６のいずれか一つに記載のカメラとフラッシュ機能を有する携帯通信端末において、前記第２の筐体における前記第１の筐体との対向面に隣り合う側面に、前記操作部を構成する複数の操作キーのうち、少なくとも一つの操作キーを備え、当該第２の筐体の側面に備える一つの操作キーが前記カメラの撮影ボタンとして機能するようにしたことを特徴とする。
【００１１】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００１２】
図１は本発明にかかるカメラとフラッシュ機能を有する携帯通信端末の一例を示す斜視図であり、図２は図１の携帯通信端末を正面側から見た正面図、図３は図１の携帯通信端末の開いた状態を裏面側から見た裏面図である。
図示のカメラとフラッシュ機能を有する携帯通信端末は、第１の筐体１０及び第２の筐体１１からなり、両筐体１０、１１は回動軸１６を中心として、両筐体１０、１１の重ね合わせ方向に沿う軸線回りに相対的に回動可能となっている。即ち、第１の筐体１０は第２の筐体１１に対して、図２の矢印方向に相対的に回動する。図１で示す状態は両筐体１０、１１を重なり合う面積が最大となるように重ね合わせた状態（この状態における両筐体１０、１１の相対的位置関係を、以下重ね合わせ位置という）である。
【００１３】
図２に示すように、本発明にかかる携帯通信端末の第１の筐体１０には表示部１５を備え、第１の筐体１０の正面側１０ｂには表示部１５の表示面１５ａを有している。この表示部１５は、例えば液晶ディスプレイである。また、第２の筐体１１には操作キー１４ａ及び操作キー１４ｂからなる操作部１４が設けられており、主な操作キー１４ａは第２の筐体１１の正面側１１ｂに配され、補助的な操作キー１４ｂは第２の筐体１１の正面側１１ｂに隣り合う側面側１１ｃに配されている。そして、携帯通信端末の使用者は、文字情報を扱う際には表示面１５ａに表示された情報を視認し、操作キー１４ａ又は操作キー１４ｂにより携帯通信端末の諸機能を操作できるようになっている。
【００１４】
また、第１の筐体１０にはフラッシュ（不図示）を備え、第１の筐体１０の裏面側１０ａにフラッシュの発光窓１３が設けられており、第２の筐体１１にはカメラ（不図示）を備え、第２の筐体１１の裏面側１１ａにカメラの撮影窓１２が設けられている。撮影窓１２は撮影レンズであり、この撮影窓１２の後方にはＣＣＤやＣＭＯＳ等の撮像素子が搭載され、電子カメラを構成するようになっている。また、フラッシュの発光窓１３は透明板であり、この発光窓１３の後方には白色ＬＥＤや放電管等の発光素子と、この発光素子からの光を反射させる反射傘が搭載され、フラッシュを構成するようになっている。そして、図１に示す両筐体１０、１１を重ね合わせ位置から相対的に回動させることにより、図３及び図４に示す状態とすることができ、これらの状態とすることでカメラの撮影窓１２とフラッシュの発光窓１３を共に露出させることができ、撮影可能な状態となる。
【００１５】
このように構成すれば、前記携帯通信端末の使用者が第１の筐体１０を第２の筐体１１に対して相対的に回動させることにより、フラッシュの発光窓１３をカメラの撮影窓１２に対して使用者の好みの位置に配することができる。すなわち、使用者の好みの位置から被写体にフラッシュ光を与えることができる。
【００１６】
また、第１の筐体１０の第２の筐体１１に対する相対的な角度位置については、カメラの撮影窓１２とフラッシュの発光窓１３が撮影可能となる各々の回動角度位置及び重ね合わせ位置において位置決め可能に構成されている。すなわち、第１の筐体１０の裏面側１０ａにおいて回動軸１６の周囲には所定の位置に凹部（不図示）が設けられており、第２の筐体１１の正面側１１ｂにおいて回動軸１６の周囲には前記凹部に嵌合可能な凸部（不図示）が設けられており、凸部は第１の筐体１０側にバネ等の弾性部材によって付勢されている。そして、両筐体１０、１１が相対的に回動する際に前記凸部が前記凹部の位置に来ると、凸部が凹部に嵌合して両筐体１０、１１を位置決めするようになっている。なお、両筐体１０、１１の回動方向に一定以上の力を加えると、凸部が第２の筐体１１側に移動して凹部との嵌合が解除されて再び回動を開始出来るようになっている。
【００１７】
そして、この携帯通信端末を用いてカメラ撮影を行うには、図３に示すように第２の筐体１１の長手方向を縦向きにして撮影する際、及び図４に示すように第２の筐体１１の長手方向を横向きにして撮影する際のいずれにおいてもフラッシュの発光窓１３がカメラの撮影窓１２の真上に位置するように配置することができ、また、第２の筐体１１の長手方向を縦向きにして撮影する際、及び第２の筐体１１の長手方向を横向きにして撮影する際のいずれにおいてもフラッシュの発光窓１３がカメラの撮影窓１２の真横に位置するように配置することもできる、というように使用者の好みに合わせてフラッシュの発光窓１３の位置を自由に調整することができ、様々な角度からフラッシュ光を被写体に当てていろいろな画像を撮影することができる。
【００１８】
なお、図１に示す携帯通信端末は、操作部１４を構成する複数の操作キー１４ａ及び操作キー１４ｂのうち、操作キー１４ａのいずれか一つと操作キー１４ｂにそれぞれ撮影ボタンとしての機能を割りつけてあり、設定によって撮影ボタンの押下と共に発光窓１３よりフラッシュ光を発光させたり、発光させなかったりすることができるようになっている。その為、別途撮影ボタンを設ける必要がなく、例えば図３に示すように、両筐体１０、１１を重ね合わせ位置より１８０°回動させた、開いた状態でカメラによる撮影を行う際、撮影ボタンが割り当てられた操作キー１４ａを押下することにより容易に撮影することができ、また、図４に示すように、両筐体１０、１１を重ね合わせ位置より第２の筐体１１を第１の筐体１０に対して９０°回動させた状態でカメラによる撮影を行う場合、撮影ボタンが割り当てられた操作キー１４ｂを押下することにより容易に撮影することができる。
【００１９】
特に、図５に示すように、横位置で被写体を撮影する際、両手で前記携帯通信端末を保持した状態で撮影ボタンに使用者の指が届きやすく、片手で前記携帯通信端末を操作する状態よりも安定した状態で撮影することができる。これにより、手ブレなどの撮影不良が発生しにくくなる。
【００２０】
また、図１に示すようにフラッシュの発光窓１３は、両筐体１０、１１の重ね合わせ位置においては、第２の筐体１１によって覆い隠されるようになっている。
【００２１】
これにより、不使用時にはフラッシュの発光窓１３の傷つきを防ぐことができ、常に鮮明なフラッシュ光を提供することができる。
【００２２】
そして本発明にかかる携帯通信端末においては、図３及び図４に示すように、フラッシュの発光窓１３を有する第１の筐体１０の裏面側１０ａに、反射面１７を設けることが好ましい。このように構成することにより、セルフ撮影をする際は、使用者は反射面１７によって自分の姿を確認しながら撮影をすることができるので、セルフ撮影を良好に行える。
【００２３】
また、図６に示すように、フラッシュの発光窓１３を有する第１の筐体１０の裏面側１０ａには、反射面１７に代えて表示部１５の表示面１５ａを設けるように構成し、この表示部１５によって被写体である使用者自身の画像を表示するようにしても良好なセルフ撮影を行うことができる。
【００２４】
【発明の効果】
以上のように、本発明によれば、撮影時に被写体に対してフラッシュ光を使用者の好みの位置から与えることができると共に、携帯通信端末を安定させて撮影することが可能なカメラとフラッシュ機能を有する携帯通信端末を提供することができる。
【図面の簡単な説明】
【図１】本発明にかかるカメラとフラッシュ機能を有する携帯通信端末の一例を示す斜視図である。
【図２】図１の携帯通信端末の開いた状態を正面側から見た正面図である。
【図３】図１の携帯通信端末の開いた状態を裏面側から見た裏面図である。
【図４】図１の携帯通信端末において、横位置で撮影を行う際の状態を説明するための概略図である。
【図５】図１の携帯通信端末による撮影方法の一例を説明するための概念図である。
【図６】本発明に係るカメラとフラッシュ機能を有する携帯通信端末の他の例を示す裏面図である。
【符号の説明】
１０  第１の筐体
１１  第２の筐体
１２  カメラ
１３  フラッシュ
１４  操作部
１４ａ  操作キー
１５  表示部
１７  反射面
【図１】
2004297736.tif 000003
【図２】
2004297736.tif 000004
【図３】
2004297736.tif 000005
【図４】
2004297736.tif 000006
【図５】
2004297736.tif 000007
【図６】
2004297736.tif 000008